(57)【要約】【課題】カーオーディオ等に設けられたＵＳＢポートにＵＳＢフラッシュメモリを接続した状態で、その外形が突出することなく、着脱が容易で、見た目も美しくなるＵＳＢフラッシュメモリ用ＵＳＢポートを提供する。【解決手段】ＵＳＢフラッシュメモリ用ＵＳＢポートがＵＳＢインターフェースコネクタを備え、ＵＳＢインターフェースコネクタの矩形断面の長辺又は短辺に平行な回転軸線周りに回動するコネクタ回動部材と、ＵＳＢフラッシュメモリをＵＳＢインターフェースコネクタに接続してコネクタ回動部材を回動させると、ＵＳＢフラッシュメモリが収容される形状にされた収容部とを具備している。【選択図】図２
2008129971.tif 000002
【特許請求の範囲】
【請求項１】
ＵＳＢインターフェースコネクタを備え、該ＵＳＢインターフェースコネクタの矩形断面の長辺又は短辺に平行な回転軸線周りに回動するコネクタ回動部材と、ＵＳＢフラッシュメモリを前記ＵＳＢインターフェースコネクタに接続して前記コネクタ回動部材を回動させると、前記ＵＳＢフラッシュメモリが収容される形状にされた収容部とを具備したことを特徴とするＵＳＢフラッシュメモリ用ＵＳＢポート。
【請求項２】
前記収容部に収容された前記ＵＳＢフラッシュメモリを、摘んで取り出しやすくなるように、前記収容部の開口の一部を広く形成した取出部をさらに具備したことを特徴とする請求項１に記載のＵＳＢフラッシュメモリ用ＵＳＢポート。
【発明の詳細な説明】
【技術分野】
【０００１】
本発明は、ＵＳＢフラッシュメモリを接続するＵＳＢポート、特に、カーオーディオに用いるＵＳＢフラッシュメモリ用のＵＳＢポートに関する。
【背景技術】
【０００２】
近年、コンパクトディスク（ＣＤ）やミニディスク（ＭＤ）によって音楽を再生する以外にもＭＰ３（ＭＰＥＧ−１  Ａｕｄｉｏ  Ｌａｙｅｒ  ３）などの圧縮された音楽データを再生できるカーオーディオが市販されている。通常、音楽データをカーオーディオに入力するために追記型コンパクトディスク（ＣＤ−Ｒ）やメモリカード、ＵＳＢフラッシュメモリなどを用いているが、中でもＵＳＢフラッシュメモリは、データの記録時に専用の記録用ドライブが必要なＣＤ−Ｒや、専用のスロット等が必要なメモリカードと異なり、ほとんどのパーソナルコンピュータがＵＳＢ端子を備えているため非常に簡便である。
【０００３】
カーオーディオにＵＳＢフラッシュメモリを介して音楽データを入力する場合、図４に示すように、カーオーディオ前面に配置されたＵＳＢポート９にＵＳＢフラッシュメモリ７を挿入しなければならない。
【発明の開示】
【発明が解決しようとする課題】
【０００４】
しかし、スロットに挿入され、収納された状態で使用するＣＤ、ＭＤ、メモリカードなどと異なり、ＵＳＢフラッシュメモリは図４に示すようにその外形の大半が外へ突出した状態で使用されるため、カーオーディオの操作や運転の際のふとした動作時に手などがぶつかってしまい、ＵＳＢフラッシュメモリや、最悪の場合は高価なカーオーディオを破損してしまう場合がある。また、突出しているＵＳＢフラッシュメモリは、見た目にもあまり美しくない。
【０００５】
本発明は上記問題に鑑み、カーオーディオ等に設けられたＵＳＢポートにＵＳＢフラッシュメモリを接続した状態で、その外形が突出することなく、着脱が容易で、見た目も美しくなるＵＳＢフラッシュメモリ用ＵＳＢポートを提供する。
【課題を解決するための手段】
【０００６】
請求項１に記載の発明によれば、ＵＳＢインターフェースコネクタを備え、該ＵＳＢインターフェースコネクタの矩形断面の長辺又は短辺に平行な回転軸線周りに回動するコネクタ回動部材と、ＵＳＢフラッシュメモリを前記ＵＳＢインターフェースコネクタに接続して前記コネクタ回動部材を回動させると、前記ＵＳＢフラッシュメモリが収容される形状にされた収容部とを具備したことを特徴とするＵＳＢフラッシュメモリ用ＵＳＢポートが提供される。コネクタ回動部材が回動し、ＵＳＢインターフェースコネクタに接続したＵＳＢフラッシュメモリが収容部に収容されることによって、ＵＳＢフラッシュメモリが突出することなく、見た目も美しくなる。
【０００７】
また、請求項２に記載の発明によれば請求項１に記載の発明において、前記収容部に収容された前記ＵＳＢフラッシュメモリを、摘んで取り出しやすくなるように、前記収容部の開口の一部を広く形成した取出部をさらに具備したことを特徴とするＵＳＢフラッシュメモリ用ＵＳＢポートが提供される。収容部の開口の一部を広く形成したことによって、ＵＳＢフラッシュメモリを指の間で把持しやすくなり、接続時の位置に引き出して、外しやすくなる。
【発明の効果】
【０００８】
各請求項に記載の発明によれば、ＵＳＢフラッシュメモリが使用時にその接続面から突出しないため、手などがぶつかることがなく、ＵＳＢフラッシュメモリ自体やカーオーディオを破損することが無く、見た目も美しいという共通の効果を奏する。さらに請求項２に記載の発明によれば、前記共通の効果に加えて、収容されたＵＳＢフラッシュメモリが取り出しやすくなるという効果を奏する。
【発明を実施するための最良の形態】
【０００９】
図１は、例えば、カーオーディオの前面に設けられた、本発明によるＵＳＢポート１へＵＳＢフラッシュメモリ７を接続する前の状態を示す斜視図である。ＵＳＢポート１は、コネクタ回動部材２と細長孔の収容部５とを有する。コネクタ回動部材２は、ＵＳＢフラッシュメモリ７と連結してカーオーディオ及びＵＳＢフラッシュメモリ７を電気的に接続するＵＳＢインターフェースコネクタ３と、ＵＳＢインターフェースコネクタ３の短辺に平行な回転軸線を備える回転軸４とを有する円板形状であり（図３参照）、収容部５の内部の片方の端部付近に回転軸４の両端部が固定され、回転可能に配置されている。収容部５は、ＵＳＢインターフェースコネクタ３に接続された状態のＵＳＢフラッシュメモリ７を収容可能なような細長孔に形成され、当該収容部５の開口の一部、好ましくは、コネクタ回動部材２の配置された側の端部とは反対の端部付近を広く形成した取出部６を有している。
【００１０】
図２に示すように、ＵＳＢフラッシュメモリ７は、ＵＳＢインターフェースコネクタ３へ接続後、矢印８方向に押すことでコネクタ回動部材２によって回転軸４（図３）周りに回動し、収容部５の奥の壁（図示せず）に当接するまで略９０度回動して収容部５内に収容される。この状態であれば、カーオーディオ前面から突出する部分がほとんどなく、手などがぶつかることによってＵＳＢフラッシュメモリ７やカーオーディオが破損することはなく、また、見た目も美しくなる。収容されたＵＳＢフラッシュメモリ７を取り出すときには、取出部６からＵＳＢフラッシュメモリ７を摘んで手前に引っ張ればＵＳＢインターフェースコネクタ３に接続直後の状態にまで矢印８と反対方向に回動させ、ＵＳＢフラッシュメモリ７を取り外すことができる。
【００１１】
収容部５は、ＵＳＢフラッシュメモリ７が製造業者によって様々な大きさ、形状があるため、なるべく汎用性をもたせるため大きめのサイズであることが好ましい。また、本実施形態は、ＵＳＢインターフェースコネクタ３の矩形断面の短辺に平行な回転軸線周りに回動させる構造であったが、コネクタ回動部材２の回転軸４を上記矩形断面の長辺に平行な回転軸線となるように配置し、それに合わせた収容部５を設けてもよい。さらに、コネクタ回動部材２は、接続されたＵＳＢフラッシュメモリ７が収容部５内で干渉することなく回動できる形状であれば、円板形状以外にすることも可能である。
【００１２】
本実施形態はカーオーディオの前面に設けられたＵＳＢポートを対象にしたが、ＵＳＢポートを備え、ＵＳＢフラッシュメモリを用いる機器であれば、パーソナルコンピュータ、カーナビゲーションシステム等いずれにも本発明を適用可能である。
【図面の簡単な説明】
【００１３】
【図１】本発明によるＵＳＢポートへＵＳＢフラッシュメモリを接続する前の状態を示す斜視図である。
【図２】本発明によるＵＳＢポートへＵＳＢフラッシュメモリを接続して回動させる様子を示す斜視図である。
【図３】コネクタ回動部材の略平面図である。
【図４】従来のＵＳＢポートへＵＳＢフラッシュメモリを接続した状態を示す斜視図である。
【符号の説明】
【００１４】
１    ＵＳＢポート
２    コネクタ回動部材
３    ＵＳＢインターフェースコネクタ
４    回転軸
５    収容部
６    取出部
７    ＵＳＢフラッシュメモリ
８    矢印
【図１】
2008129971.tif 000003
【図２】
2008129971.tif 000004
【図３】
2008129971.tif 000005
【図４】
2008129971.tif 000006